(57)【要約】【課題】本発明はバイオ穿刺針およびその製造方法を提供する。【解決手段】管形状に内部に縫合糸が挿入される中空部が形成された本体と、本体の一端に形成されて皮膚を切開して本体を挿入する挿入部とを含み、挿入部は本体の一端で中空部方向に下向きに傾いた斜線面が形成された第１斜線状刃と、第１斜線状刃の他方の本体の一端で前記第１斜線状刃方向に上向きに傾いた斜線面が形成された第２斜線状刃と、第１斜線状刃の一端で第２斜線状刃方向に下向きに傾いた斜線面が形成された第３斜線状刃とを含み、皮膚のシワに挿入時にシワに沿って薄く挿入できるバイオ穿刺針およびその製造方法が開示される。【選択図】図１
2016198478.tif 000002
【特許請求の範囲】
【請求項１】
管形状に内部に縫合糸が挿入される中空部が形成された本体と、
前記本体の一端に形成され皮膚を切開して前記本体を挿入する挿入部と、
前記本体の内側で切開されて前記本体が前記皮膚内に挿入されるとき、前記皮膚の下部に結着された老廃物を除去する少なくとも一つの除去溝とを含み、
前記挿入部は、
前記本体の一端で前記中空部方向に下向きに傾いた斜線面が形成された第１斜線状刃と、
前記第１斜線状刃の他方の本体の一端で前記第１斜線状刃方向に上向きに傾いた斜線面が形成された第２斜線状刃と、
前記第１斜線状刃の一端で前記第２斜線状刃方向に下向きに傾いた斜線面が形成された第３斜線状刃とを含み、
前記除去溝の一面は前記本体の長さ方向に垂直に形成され、他面は前記挿入部の反対方向に傾いて形成されることを特徴とするバイオ穿刺針。
【請求項２】
管形状に内部に縫合糸が挿入される中空部が形成された本体と、
前記本体の一端に形成され皮膚を切開して前記本体を挿入する挿入部と、
前記本体の内側で切開されて前記本体が前記皮膚内に挿入されるとき、前記皮膚の下部に結着された老廃物を除去する少なくとも一つの除去溝とを含み、
前記挿入部は、
前記本体の一端で前記中空部方向に下向きに傾いた斜線面が形成された第１斜線状刃と、
前記第１斜線状刃の他方の本体の一端で前記第１斜線状刃方向に上向きに傾いた斜線面が形成された第２斜線状刃と、
前記第１斜線状刃の一端で前記第２斜線状刃方向に下向きに傾いた斜線面が形成された第３斜線状刃とを含み、
前記除去溝の一面は前記本体の長さ方向に垂直に形成され、他面は前記挿入部方向に傾いて形成されることを特徴とするバイオ穿刺針。
【請求項３】
管形状に内部に縫合糸が挿入される中空部が形成された本体と、
前記本体の一端に形成されて皮膚を切開して前記本体を挿入する挿入部と、
前記本体の内側で切開されて前記本体が前記皮膚内に挿入されるとき、前記皮膚の下部に結着された老廃物を除去する少なくとも一つの除去溝とを含み、
前記挿入部は、
前記本体の一端で前記中空部方向に下向きに傾いた斜線面が形成された第１斜線状刃と、
前記第１斜線状刃の他方の本体の一端で前記第１斜線状刃方向に上向きに傾いた斜線面が形成された第２斜線状刃と、
前記第１斜線状刃の一端で前記第２斜線状刃方向に下向きに傾いた斜線面が形成された第３斜線状刃とを含み、
前記除去溝はＶ字形状に形成されることを特徴とするバイオ穿刺針。
【請求項４】
前記第２斜線状刃と前記第３斜線状刃が交差して形成された先端は直線に形成されることを特徴とする請求項１乃至３のいずれか１項に記載のバイオ穿刺針。
【請求項５】
前記第２および第３斜線状刃の両側面は前記中空部方向にラウンディングされることを特徴とする請求項１乃至３のいずれか１項に記載のバイオ穿刺針。
【請求項６】
前記本体は曲がった曲線形状構造に形成されることを特徴とする請求項１乃至３のいずれか１項に記載のバイオ穿刺針。
【請求項７】
管形状に内部に縫合糸が内在する中空部が形成されたバイオ穿刺針を製造するバイオ穿刺針の製造方法において、
（ａ）本体の一端で前記中空部方向に下向きに傾斜してカッティングして第１斜線状刃を形成する第１カッティング段階と、
（ｂ）前記第１斜線状刃のカッティング面のうち前記本体の外周面と垂直になる角度で切断する第２カッティング段階と、
（ｃ）前記第１斜線状刃の他方の本体の一端で前記第１斜線状刃方向に上向きに傾斜してカッティングして第２斜線状刃を形成する第３カッティング段階と、
（ｄ）前記中空部で前記第２斜線状刃方向に下向きに傾斜してカッティングして第３斜線状刃を形成する第４カッティング段階とを含み、
前記（ａ）乃至（ｄ）段階のうちいずれか一段階前または以降に、
前記本体の外周面で中空部方向に除去溝を形成する第５カッティング段階をさらに含み、
前記除去溝の一面は前記本体の長さ方向に垂直に形成され、他面は前記第１斜線状刃の反対方向に傾いて形成されることを特徴とするバイオ穿刺針の製造方法。
【請求項８】
前記（ｄ）段階以降に、
前記第２斜線状刃および前記第３斜線状刃の両側面を前記中空部方向にラウンディングされるように形成するラウンディング段階をさらに含むことを特徴とする請求項７に記載のバイオ穿刺針の製造方法。
【発明の詳細な説明】
【技術分野】
【０００１】
本発明は、バイオ穿刺針およびその製造方法に関し、針先端を刃のように形成して皮膚のシワに挿入時にシワに沿って薄く挿入できるバイオ穿刺針およびその製造方法に関する。
【背景技術】
【０００２】
穿刺針は脳脊髄液を取り出したり薬品を注入したりするなど多様な用途と使用においてその活用用途が非常に広い。特に美容整形施術にあたり、成形用縫合糸を皮膚に植毛する穿刺針は顔にできたシワを伸ばすために縫合糸を皮膚に注入することができる。
特許文献１に開示されているバイオ穿刺針およびその製造方法は、針ブランクの中空円柱部の先端部に圧縮加工を実施して、その中空円柱部から先端へ先細る中空円錐部を形成し、次いで、先端が前記中空円錐部の外周に、後端が前記中空円柱部の外周にあり、針軸と斜交する刃面を形成するように、針ブランクを切断加工して形成することができる。
しかし、特許文献１においては、深部にある目標に向かって一定角度で挿入するだけで、皮膚に形成されたシワに沿って薄く挿入できない問題点があった。
【先行技術文献】
【特許文献】
【０００３】
【特許文献１】韓国公開特許第２０００−００６８０２５号公報
【発明の概要】
【発明が解決しようとする課題】
【０００４】
本発明が解決しようとする課題は、針先端を刃のように直線長手方向に形成して皮膚のシワに挿入時にシワに沿って薄く挿入できるバイオ穿刺針およびその製造方法を提供することにある。
【課題を解決するための手段】
【０００５】
前記課題を解決するために、本発明は、管形状に内部に縫合糸が挿入される中空部が形成された本体と、前記本体の一端に形成され皮膚を切開して前記本体を挿入させる挿入部とを含み、前記挿入部は前記本体の一端で前記中空部方向に下向きに傾いた斜線面が形成された第１斜線状刃と、前記第１斜線状刃の他方の本体の一端で前記第１斜線状刃方向に上向きに傾いた斜線面が形成された第２斜線状刃と、前記第１斜線状刃の一端で前記第２斜線状刃方向に下向きに傾いた斜線面が形成された第３斜線状刃とを含むバイオ穿刺針を提供することができる。
また、前記バイオ穿刺針は本体の内側で切開されて前記本体が前記皮膚内に挿入されるとき、前記皮膚の下部に結着された老廃物を除去する少なくとも一つの除去溝をさらに含むことができる。
また、前記第２斜線状刃と前記第３斜線状刃が交差して形成された先端は直線に形成することができる。
また、前記第２および第３斜線状刃の両側面は前記中空部方向にラウンディングされることができる。
また、前記除去溝の一面は前記本体の長さ方向に垂直に形成され、他面は前記挿入部の反対方向に傾いて形成される。
また、前記除去溝の一面は前記本体の長さ方向に垂直に形成され、他面は前記挿入部方向に傾いて形成される。
また、前記除去溝はＶ字形状に形成することができる。
また、前記本体は曲がった曲線形状構造に形成することができる。
また、管形状に内部に縫合糸が内在する中空部が形成されたバイオ穿刺針を製造するバイオ穿刺針の製造方法において、（ａ）本体の一端で前記中空部方向に下向きに傾斜してカッティングして第１斜線状刃を形成する第１カッティング段階と、（ｂ）前記第１斜線状刃のカッティング面のうち前記本体の外周面と垂直になる角度で切断する第２カッティング段階と、（ｃ）前記第１斜線状刃の他方の本体の一端で前記第１斜線状刃方向に上向きに傾斜してカッティングして第２斜線状刃を形成する第３カッティング段階と、（ｄ）前記中空部で前記第２斜線状刃方向に下向きに傾斜してカッティングして第３斜線状刃を形成する第４カッティング段階とを含むことができる。
また、前記（ａ）乃至（ｄ）段階のうちいずれか一段階前または以降に前記本体の外周面から中空部方向に除去溝を形成する第５カッティング段階をさらに含むことができる。
また、前記除去溝の一面は前記本体の長さ方向に垂直に形成され、他面は前記第１斜線状刃方向に傾いて形成される。
また、前記（ｄ）段階以降に前記第２斜線状刃および前記第３斜線状刃の両側面を前記中空部方向にラウンディングされるように形成するラウンディング段階をさらに含むことができる。
【発明の効果】
【０００６】
本発明の実施例に係るバイオ穿刺針およびその製造方法は、針先端を刃のように直線長手方向に形成して皮膚に挿入時薄く挿入できる効果がある。
【図面の簡単な説明】
【０００７】
【図１】本発明の実施例に係るバイオ穿刺針を示した斜視図である。
【図２】図１に示されたバイオ穿刺針の断面を示した断面図である。
【図３】図１に示されたバイオ穿刺針のラウンディングを示した例示図である。
【図４】本発明の実施例に係るリフティング穿刺針の製造方法を順次に示したフローチャートである。
【図５】図４に示したフローチャートの製造工程を示した例示図である。
【図６】図４に示したフローチャートの製造工程を示した例示図である。
【図７】図４に示したフローチャートの製造工程を示した例示図である。
【図８】図４に示したフローチャートの製造工程を示した例示図である。
【発明を実施するための形態】
【０００８】
以下、添付される図面と共に詳細に後述される本発明の説明は特定実施形態に限定されるものではなく、多様な変換を加えることができ、様々な実施例を有することができる。また、以下で説明する内容は本発明の思想および技術範囲に含まれる全ての変換、均等物乃至代替物を含むものとして理解されるべきである。
【０００９】
本明細書で第１、第２などの用語は、多様な構成要素を説明するために用いられ、それ自体に意味が限定されるものではないし、一つの構成要素を他の構成要素から区別する目的だけで用いられる。
本明細書で用いられる同一の参照番号は同一の構成要素を示す。
本明細書で用いられる単数の表現は文脈上異なる場合を明白に指摘するものでない限り、複数の表現を含むことができる。また、本明細書で用いられる“含む”、“備える”または“有する”等の用語は本明細書で言及された特徴、数字、段階、動作、構成要素、部品またはこれらの組み合わせが存在することを特定しようとするものと解釈されるべきであり、一つまたはそれ以上の他の特徴や、数字、段階、動作、構成要素、部品またはこれらの組み合わせの存在または付加を排除するものではない。
【００１０】
以下、本発明の実施例を添付した図１乃至図８を参照して詳しく説明する。
図１は本発明の実施例に係るバイオ穿刺針を示した斜視図であり、図２は図１に示されたバイオ穿刺針の断面を示した断面図である。
【００１１】
図１および図２を参照すれば、バイオ穿刺針１０は本体１００を含むことができる。
本体１００は長く細い管形状に形成することができる。本体１００の長さおよび直径は施術部位により多様に形成することができる。本体１００は所定の角度に曲がった曲線形状に形成することができる。本体１００は金属または軟性の材質で形成することができる。本体１００は中空部１１０と、除去溝２００と、挿入部３００とを含むことができる。
【００１２】
中空部１１０は縫合糸を挿入可能な通路である。中空部１１０は縫合糸の周りと対応したりまたは大きく形成したりすることができる。
【００１３】
除去溝２００は表皮層の下部に形成された老廃物が入ることができる溝である。除去溝２００は挿入部３００から１〜２ｍｍ程度離れた位置に形成することができる。除去溝２００は本体１００の外周面から中空部１１０方向に所定深さで形成することができる。除去溝２００の一面は本体１００の長さ方向に垂直に形成することができる。除去溝２００の他面は挿入部３００の反対方向にまたは挿入部３００方向に傾いて形成される。除去溝２００はＶ字形状に形成することができる。除去溝２００は多様な大きさに形成することができる。除去溝２００は複数個形成することができる。
【００１４】
挿入部３００は皮膚を切開して本体１００を挿入することができる。挿入部３００は本体１００の一端に形成することができる。挿入部３００は第１斜線状刃３１０と、第２斜線状刃３２０と、第３斜線状刃３３０とを含むことができる。
【００１５】
第１斜線状刃３１０は本体１００の一端で中空部１１０方向に下向きに傾いた斜線面に形成することができる。第１斜線状刃３１０は第２斜線状刃３２０および第３斜線状刃３３０より本体１００の長さ方向に長く形成することができる。
【００１６】
第２斜線状刃３２０は第１斜線状刃３１０の反対側本体１００の一端で第１斜線状刃３１０方向に上向きに傾いた斜線面に形成することができる。第２斜線状刃３２０は皮膚に挿入時に皮下層と密着して本体１００を皮下層から保持することができる。第３斜線状刃３３０は第１斜線状刃３１０の一端で第２斜線状刃３２０方向に下向きに傾いた斜線面を形成することができる。第３斜線状刃３３０は第１斜線状刃３１０と第２斜線状刃３２０との間に形成することができる。第３斜線状刃３３０は皮膚に挿入時に表皮層の組織を支えられる。
【００１７】
第２斜線状刃３２０と第３斜線状刃３３０が交差した先端は刃のように直線に形成することができる。
【００１８】
バイオ穿刺針１０は皮膚に挿入時に第２斜線状刃３２０は皮下層から本体１００を保持し、第３斜線状刃３３０は表皮層の組織を支えながら皮下層と表皮層との間を離れなく薄く挿入される効果がある。
【００１９】
図３は図１に示されたバイオ穿刺針のラウンディングを示した例示図である。
図３を参照すれば、第２斜線状刃３２０および第３斜線状刃３３０は両側面が中空部１１０方向にラウンディングされたラウンディング形状に形成することができる。
【００２０】
ラウンディング形状は中空部１１０と所定の間隔離隔して形成されることができる。ラウンディング形状はゆるやか曲線形状に形成することができる。ラウンディング形状は急な曲線形状に形成することができる。ラウンディング形状は本体１００方向に切断する方法で形成することができる。ラウンディング形状は研磨方法で形成することもある。ラウンディング形状は挿入部３００が皮膚に切開されて挿入時に皮膚の傷跡を最小化することができる。
【００２１】
図４は本発明の一実施例に係るリフティング穿刺針の製造方法を順次に示したフローチャートであり、図５ないし図８は図４に示したフローチャートの製造工程を示した例示図である。
図４乃至図８を参照すれば、管形状に内部に縫合糸が内在する中空部が形成されたバイオ穿刺針を製造するバイオ穿刺針の製造方法において、バイオ穿刺針の製造方法は本体の一端に下向きに傾斜してカッティングして第１斜線状刃を形成する第１カッティング段階（Ｓ１００）と、第１斜線状刃の先端を切断する第２カッティング段階（Ｓ２００）と、第１斜線状刃の反対側で上向きに傾斜してカッティングして第２斜線状刃を形成する第３カッティング段階（Ｓ３００）と、中空部で第２斜線状刃方向に下向きに傾斜してカッティングして第３斜線状刃を形成する第４カッティング段階（Ｓ４００）とを含む。
【００２２】
本体の一端に下向きに傾斜してカッティングして第１斜線状刃を形成する第１カッティング段階（Ｓ１００）は図５に示されているように、本体１００の一端で中空部１１０方向に下向きに傾斜してカッティングして第１斜線状刃３１０を形成する。ここで、本体１００の一端で中空部１１０方向に下向きに傾斜してカッティングする傾斜角（θ）は１４．５度乃至１６．５度となることができる。
【００２３】
第１斜線状刃の先端を切断する第２カッティング段階（Ｓ２００）は図６に示されているように、第１斜線状刃３１０の端部を本体１００の外周面と垂直になる角度で切断することができる。第１斜線状刃の先端を切断する第２カッティング段階（Ｓ２００）は本体１００の外周面と垂直になる角度で切断されて直線型刃のような直線形状に形成される。
【００２４】
また、第１斜線状刃の先端を切断する第２カッティング段階（Ｓ２００）は第１斜線状刃３１０の先端で本体１００方向に２〜３ｍｍが切断される。
【００２５】
第１斜線状刃の反対側で上向きに傾斜してカッティングして第２斜線状刃を形成する第３カッティング段階（Ｓ３００）は図７に示されているように、第１斜線状刃３１０の他端の本体１００の一端で第１斜線状刃３１０方向に上向きに傾斜してカッティングして第２斜線状刃３２０を形成する。
【００２６】
中空部で第２斜線状刃方向に下向きに傾斜してカッティングして第３斜線状刃を形成する第４カッティング段階（Ｓ４００）は図８に示されているように、中空部１１０で第２斜線状刃３２０方向に下向きに傾斜してカッティングして第３斜線状刃３３０を形成する。中空部で第２斜線状刃方向に下向きに傾斜してカッティングして第３斜線状刃を形成する第４カッティング段階（Ｓ４００）は第１斜線状刃３１０と第２斜線状刃３２０の間に形成する。
【００２７】
本体の一端に下向きに傾斜してカッティングして第１斜線状刃を形成する第１カッティング段階（Ｓ１００）乃至中空部で第２斜線状刃方向に下向きに傾斜してカッティングして第３斜線状刃を形成する第４カッティング段階（Ｓ４００）のうちいずれか一段階前または以降に本体の外周面に中空部方向にカッティングして除去溝を形成する第５カッティング段階をさらに含むことができる。
【００２８】
除去溝２００の一面は本体１００の長さ方向に垂直に形成する。除去溝２００の他面は第１斜線状刃３１０の反対方向に傾いて形成する。
【００２９】
一方、中空部で第２斜線状刃方向に下向きに傾斜してカッティングして第３斜線状刃を形成する第４カッティング段階（Ｓ４００）以降に、第２斜線状刃３２０および第３斜線状刃３３０の両側面を中空部１１０方向にラウンディングされるように形成するラウンディング段階を含むこともできる。
【００３０】
ここで、ラウンディングは本体１００方向に切断されたりまたは研磨方式で形成することができる。
【００３１】
以上で説明した本発明は前述した実施例によって限定されるものではなく、本発明の技術的な思想を逸脱しない範囲内で様々な置換、変形および変更が可能であることは本発明の属する技術分野で通常の知識を有する者にとって明らかであろう。
【符号の説明】
【００３２】
１０  バイオ穿刺針
１００  本体
１１０  中空部
２００  除去溝
３００  挿入部
３１０  第１斜線状刃
３２０  第２斜線状刃
３３０  第３斜線状刃
【図１】
2016198478.tif 000003
【図２】
2016198478.tif 000004
【図３】
2016198478.tif 000005
【図４】
2016198478.tif 000006
【図５】
2016198478.tif 000007
【図６】
2016198478.tif 000008
【図７】
2016198478.tif 000009
【図８】
2016198478.tif 000010